(57)【要約】      （修正有）【課題】刃先が複雑な形状を有する鉋、鑿等の刃物を、一定角度で、研ぎ器を使用せず手だけで研いだ時と同じ動作で研げるようにした、刃物の研ぎ器を提供する。【解決手段】刃物を一定角度で保持する移動台で、ローラー４、５、６を移動台下部に取り付ける。この研ぎ器に刃物を固定し、水平面に置いたとき、３個のローラーの駆動輪径が同径のローラーの場合は取り付け高さを変えることによりローラー５と両隣のローラー４、ローラー６の高さの位置関係を３個のローラーの水平面からの高さを変えるようにする。これにより刃先が複雑な形状を有する刃物の研磨において、移動台を左右へ傾ける動きを円滑にし、複雑な形状を有する刃物の刃先を容易に研磨することが可能になる。【選択図】図１
0003186797.tif 000002
【実用新案登録請求の範囲】
【請求項１】
刃物を一定角度で保持する移動台で、砥面または砥面と平行な面内を転動する円形のロー
ラーを３個以上の複数個取り付けた刃物の研ぎ器において、研磨する刃物を同研ぎ器に固定し、水平な面に置いたとき、刃物の刃先とローラー駆動輪が水平面に接地するが、このとき取り付けた複数個のローラーの駆動輪の水平面方向最下部と水平面との距離が、同研ぎ器の研磨時の進行方向に対して直角方向の研ぎ器の幅の中心から両端方向に近いローラーほど大きくなるようにした刃物の研ぎ器。
【請求項２】
刃物を一定角度で保持する移動台で、砥面または砥面と平行な面内を転動する円形のローラーを取り付けた刃物の砥ぎ器で、そのローラーの駆動輪が複数個に分かれているローラーを取り付けた刃物の研ぎ器において、研磨する刃物を同研ぎ器に固定し、水平な面に置いたとき、刃物の刃先とローラーの駆動輪が水平面に接地するが、このとき取り付けたローラーの駆動輪の水平面方向最下部と水平面との距離が、同研ぎ器の研磨時の進行方向に対して直角方向の研ぎ器の幅の中心から両端方向に近い駆動輪ほど大きくなるようにした刃物の研ぎ器。
【考案の詳細な説明】
【技術分野】
【０００１】
本考案は、鉋、鑿、彫刻刃、などの刃の付いている刃物の研ぎ器に関するものである。
【背景技術】
【０００２】
従来、この種の研ぎ器の移動用ローラーは研ぎ器下部の中心に幅１０ミリ程度のローラー１個もしくは左右にそれぞれ１個の計２個、または研ぎ器の幅程度の幅広ローラーである。これらの研ぎ器では、刃先の形状が直線なものは問題ないが刃先が複雑な形状を有する刃物の研磨は困難である。
【０００３】
先行技術として鑿や彫刻刃など柄付き刃物で、その刃物の柄の中心軸周りに回動自在な機構を持った研ぎ具は存在する。ただしこれは、研ぎ器そのものを刃物の形状に合わせて左右に傾斜させて研磨するものではない。
【先行技術文献】
【特許文献】
【０００４】
【特許文献１】実用新案登録第３１５０７７９号公報
【考案の概要】
【考案が解決しようとする課題】
【０００５】
刃先が複雑な形状を有する鉋、鑿等の刃物を、一定角度で、研ぎ器を使用せず手だけで研いだ時と同じ動作で研げるようにすることである。
【課題を解決するための手段】
【０００６】
請求項１の考案は、刃物を一定角度で保持する移動台で、砥面または砥面と平行な面内を転動する円形のローラーを３個以上複数個取り付けた刃物の研ぎ器において、研磨する刃物を同研ぎ器に固定し、水平な面に置いたとき、刃物の刃先とローラーの駆動輪が水平面に接地するが、このとき取り付けた複数個のローラーの駆動輪の水平面方向最下部と水平面との距離が、同研ぎ器の研磨時の進行方向に対して直角方向の研ぎ器の幅の中心から両端方向に近いローラーほど大きくなるようにした刃物の研ぎ器で、刃先が複雑な形状を有する刃物の刃先の形状に沿って同研ぎ器を、手だけで研いだ時と同じ動作で、左右に傾斜させて研磨するとき、それぞれのローラーがスムーズに回転し刃物の刃先を容易に研磨できることを特徴とする。
【０００７】
請求項２の考案は、刃物を一定角度で保持する移動台で、砥面または砥面と平行な面内を転動する円形のローラーを取り付けた刃物の砥ぎ器で、そのローラーの駆動輪が複数個に分かれているローラーを取り付けた刃物の研ぎ器において、研磨する刃物を同研ぎ器に固定し、水平な面に置いたとき、刃物の刃先とローラーの駆動輪が水平面に接地するが、このとき取り付けたローラーの駆動輪の水平面方向最下部と水平面との距離が、同研ぎ器の研磨時の進行方向に対して直角方向の研ぎ器の幅の中心から両端方向に近いローラーの駆動輪が大きくなるようにした刃物の研ぎ器で、刃先が複雑な形状を有する刃物の刃先の形状に沿って同研ぎ器を、手だけで研いだ時と同じ動作で、左右に傾斜させて研磨するときそれぞれのローラーがスムーズに回転し刃物の刃先を容易に研磨できることを特徴とする。
【考案の効果】
【０００８】
請求項１の考案によれば、砥面または砥面と平行な面内を転動する円形のローラーを３個以上複数個取り付けているので刃先が複雑な形状を有する刃物の形状に沿って刃物研ぎ器を左右に傾斜させて研磨するとき、それぞれのローラーがスムーズに回転し刃物の刃先を容易に研磨できる。
【０００９】
請求項２の考案によれば、砥面または砥面と平行な面内を転動する円形のローラーを取り付けた刃物の砥ぎ器でそのローラーの車輪が複数個に分かれているローラーを取り付けているので刃先が複雑な形状を有する刃物の形状に沿って刃物研ぎ器を左右に傾斜させて研磨するとき、それぞれのローラーがスムーズに回転し刃物の刃先を容易に研磨できる。
【符号の説明】
【００１０】
１水平面
２研ぎ器Ａ
３刃体
４ローラーＡ
５ローラーＢ
６ローラーＣ
７ローラーＤ
８押さえ板
９ボルト
１０蝶ナット
１１薄板
１２研ぎ器Ｂ
【図面の簡単な説明】
【００１１】
【図１】実施例１を示す状態の正面図である。
【図２】実施例１を示す左側面図である。
【図３】実施例２を示す状態の正面図である。
【図４】実施例２を示す左側面図である。
【図５】実施例２を示す下面図である。
【図６】実施例３を示す状態の正面図である。
【図７】実施例３を示す左側面図である。
【図８】刃体例として外丸鉋刃を示す。
【考案を実施するための形態】
【００１２】
本考案における実施の形態について、添付図面を参照して説明する。尚、以下に説明する実施の形態は、実用新案登録請求の範囲に記載された本考案の内容を限定するものではない。
【実施例１】
【００１３】
図１〜２は請求項１に関する実施例１を示している。刃先が円弧状をした丸鑿を２の研ぎ器Ａに固定して、水平面に置いたとき、刃体の刃先と研ぎ器下部に取り付けたローラーが水平面に接地するが、このとき、５のローラーＢを取り付ける際、１１の薄板をはさみ４のローラーＡ、６のローラーＣの水平面との位置関係を図１のようになるようにする。このようにすることにより容易に研ぎ器を左右に傾けることができ、丸鑿の刃先の形状に沿った研ぎ器のスムーズな動きを実現できる。
【００１４】
図３〜５は請求項１に関する実例２を示している。１２の研ぎ器Ｂに図８の外丸鉋刃を固定して、水平面に置いたとき、刃体の刃先と研ぎ器下部に取り付けたローラーが水平面に接地するが、このとき５のローラーＢの取り付け位置を図５のようにすることにより４，５，６の水平面との位置関係が図３のようになる。このようにすることにより容易に研ぎ器を左右に傾けることができ、外丸鉋刃の刃先の形状に沿った研ぎ器のスムーズな動きを実現できる。
【００１５】
図６〜７は請求項２に関する実例３を示している。１２の研ぎ器Ｂに図８の外丸鉋刃を固定して、水平面に置いたとき、刃体の刃先と研ぎ器下部に取り付けたローラーが水平面に接地するが、このとき７のローラーＤの各駆動輪径はローラー幅の中心から外側ほど径が小さくなっている。このようにすることにより容易に研ぎ器を左右に傾けることができ、外丸鉋刃の刃先の形状に沿った研ぎ器のスムーズな動きを実現できる。
【産業上の利用可能性】
【００１６】
以上のように本考案の研ぎ器は、いままで研ぎ器で研ぐことが困難であった外丸鉋刃、丸鑿、内丸鉋刃、際鉋刃等各種の刃物の研磨に利用できる。
【図１】
0003186797.tif 000003
【図２】
0003186797.tif 000004
【図３】
0003186797.tif 000005
【図４】
0003186797.tif 000006
【図５】
0003186797.tif 000007
【図６】
0003186797.tif 000008
【図７】
0003186797.tif 000009
【図８】
0003186797.tif 000010